(57)【要約】【課題】高強度のロック装置を採用しながら操作性及び見栄えを向上する【解決手段】閉扉状態と開扉状態とに切り換えられ、かつ常時開方向へ付勢されている扉９Ｂに用いられて、閉扉状態で受け部５５ａに係脱するロック部材２を有したロック装置５において、扉に配設されてホルダー２を摺動可能に支持しているケース１と、ホルダー上側に付勢力に抗して転倒可能に枢支されたラッチ３と、ホルダー２に摺動可能かつラッチ３に接離可能に配設されている規制板３５と、規制板３５及びホルダー２を介してラッチ３を受け部８ｄと係合する方向へ付勢している付勢手段と、規制板３５の摺動を制御して扉を付勢力に抗して開から閉方向へ押すことでラッチ３を規制板３５にて転倒規制した状態で受け部８ｄに係合保持し、扉を再度閉方向へ押すことで規制板３５をラッチ３から離間して該ラッチの係合を解除可能にする動作履歴に設定されたカム機構（３９，Ｐ）とを備えている。【選択図】図４
2010174588.tif 000002
【特許請求の範囲】
【請求項１】
本体側開口部に対し一端側を支点として回動されて前記開口部を塞ぐ閉扉状態と開放する開扉状態とに切り換えられ、かつ常時開方向へ付勢されている扉に用いられて、閉扉状態で前記開口部側の係止用受け部に係脱するラッチを有したロック装置において、
前記扉に配設されてホルダーを摺動可能に支持しているケースと、
前記ホルダーの上側に付勢力に抗して転倒可能に枢支されている前記ラッチと、
前記ホルダーに摺動可能かつ前記ラッチに接離可能に配設されている規制板と、
前記規制板及びホルダーを介して前記ラッチを前記受け部と係合する方向へ付勢している付勢手段と、
前記規制板の摺動を制御して、前記扉を付勢力に抗して開から閉方向へ押すことにより前記ラッチを前記規制板にて転倒規制した状態で前記受け部に係合可能にし、前記扉を再度閉方向へ押すことにより前記規制板を前記ラッチから離間して該ラッチの係合を解除可能にする動作履歴に設定されたカム機構
とを備えていることを特徴とするロック装置。
【請求項２】
前記ケースに対し前記ホルダーと同方向に摺動可能に支持されている第２ホルダーと、前記第２ホルダーにばね部材を介して出没可能に支持されていると共に、前記開口部側で前記受け部に並設されている仮受け部に係脱される補助ラッチと、前記ケース側に枢支した状態で一端側を前記第２ホルダーに連結し、他端側を前記ホルダーに連結しているシーソレバーとからなる押し込み防止手段を有し、前記扉が開から閉方向へ押される過程で、前記第２ホルダーが前記ホルダー及びシーソレバーを介して上昇され、前記補助ラッチが付勢力により突出し前記仮受け部と一時的に係合して前記扉を閉扉状態に保った後、前記ラッチが前記受け部に対し前記補助ラッチの係合解除前に係合してその閉扉状態に保持することを特徴とする請求項１に記載のロック装置。
【請求項３】
前記カム機構は、前記規制板に設けられたカム溝及び前記ケースに設けられて前記カム溝をトレースするピンからなり、前記扉が閉扉状態から更に閉方向へ押され、押し力が解放されて開方向へ動いたときに、前記規制板の摺動を規制した状態で前記ラッチを付勢力に抗して転倒可能にすることを特徴とする請求項１又は２に記載のロック装置。
【請求項４】
前記押し込み防止手段は、前記第２ホルダーが前記シーソレバーを介して上昇された後、制動されながら下降されるようにするダンパー手段を有していることを特徴とする請求項２又は３に記載のロック装置。
【請求項５】
前記扉に固定されて前記ケースを転倒可能に枢支する取付ベースと、前記ケースを前記取付ベースの正規位置に付勢している付勢手段とを有し、前記ラッチが前記受け部と係合した状態で、前記ケースが所定大の振動を受けると転倒して前記係合を解除可能となることを特徴とする請求項１から４の何れかに記載の扉のロック装置。
【請求項６】
請求項１から５の何れかに記載のロック装置を備えていることを特徴とする扉。
【発明の詳細な説明】
【技術分野】
【０００１】
本発明は、扉に対する押し操作により扉を閉扉状態に保つよう係合し、次の押し操作により係合解除するロック装置及びそれを用いた扉に関する。なお、対象の扉は、本体側開口部に対し一端側を支点（この一端側は形態例のごとくガイドレール等に沿って移動される構成を含む）として回動されることで本体側開口部を塞ぐ閉扉状態と開放する開扉状態とに切り換えられるタイプである。好ましくは、クローゼットや間仕切り等に用いられて折り畳み展開しつつ移動可能な中折れ式扉（折戸）である。
【背景技術】
【０００２】
例えば、従来の中折れ式扉では、扉同士がロック装置により閉扉状態に保持されると共に、扉同士を連結している蝶番が付勢手段を有しその付勢力により閉扉状態での係合や保持作用を補う場合もある。また、従来構造では、ロック装置の係合解除と共に扉を開方向へ引く際の取っ手が必要となるため、見栄えが扉の意匠面側の取っ手により悪くなる。特許文献１はその対策例を開示している。構造特徴は、操作時に使用する取っ手として、扉に設けられる手掛け用凹所を蝶番（ヒンジ）との関係で見えにくく設けることで外観性を向上したものである。また、公知技術には、取っ手の一種としてワンプッシュで扉表面に没入させ、この状態で再度プッシュすることにより扉表面に突出する出没式取っ手にした構成、閉扉状態における扉のばた付きを押さえるための手段として、レール内に納めるためのキャッチ部材を設けた構成もある。
【先行技術文献】
【特許文献】
【０００３】
【特許文献１】特開２００８−２４０３７７号公報
【発明の概要】
【発明が解決しようとする課題】
【０００４】
特許文献１の構造では、手掛け用凹所を小さくするほど見栄えを改善できるが、凹所を小さくすると操作性が悪くなる。また、出没式取っ手では、扉表面を完全には平面にできず操作もその分面倒となる。キャッチ部材を用いる構造では、キャッチ部材の取付精度に煩わされたり操作性もその分面倒となる。なお、従来のロック装置には、扉を最初の押し操作により本体側に係合保持し、次の押し操作により係合解除するプッシュ・プッシュ係止機構（例えば、特開２００６−２１４１０５号公報に開示の構成）がある。しかし、この構造では、ロック装置と該ロック装置に係脱する棒状係脱部材（ストライカ等と称されている）を必須としている関係で、係合強度に制約され易く、扉がクローゼット等のごとく大型かつ重くなったり中折れ式になると適用困難となる。
【０００５】
本発明の目的は以上のような背景から、閉扉状態で本体の開口部側に設けられた係止用受け部に係脱、つまり突出係合したり係合解除するロック部材を有した高強度のロック装置として、特に、扉が開から押されることで閉扉状態に係合保持され、閉扉状態から再び押されることで係合解除され、かつ開方向へ付勢力で回動されるようにし操作性及び見栄えを向上することにある。
【課題を解決するための手段】
【０００６】
上記目的を達成するため本発明は、形態例を参照して特定すると、本体側開口部に対し一端側を支点として回動されて前記開口部を塞ぐ閉扉状態と開放する開扉状態とに切り換えられ、かつ常時開方向へ付勢されている扉９Ｂに用いられて、閉扉状態で前記開口部側の係止用受け部８ｄに係脱するラッチ３を有したロック装置において、前記扉９Ｂに配設されてホルダー２を摺動可能に支持しているケース１と、前記ホルダー２の上側に付勢力に抗して転倒可能に枢支されている前記ラッチ３と、前記ホルダー２に摺動可能かつ前記ラッチ３に接離可能に配設されている規制板３５と、前記規制板３５及びホルダー２を介して前記ラッチ３を前記受け部８ｄと係合する方向へ付勢している付勢手段（Ｓ1又は／及びＳ2）と、前記規制板３５の摺動を制御して、前記扉を付勢力に抗して開から閉方向へ押すことにより前記ラッチ３を前記規制板３５にて転倒規制した状態で前記受け部８ｄに係合保持し、前記扉を再度閉方向へ押すことにより前記規制板３５を前記ラッチ３から離間して該ラッチの係合を解除可能にする動作履歴に設定されたカム機構（３９，Ｐ）とを備えていることを特徴としている。
【０００７】
以上の本発明は、請求項２〜６のごとく具体化されることがより好ましい。すなわち、（１）前記ケース１に対し前記ホルダー２と同方向に摺動可能に支持されている第２ホルダー４と、前記第２ホルダー４にばね部材Ｓ４を介して出没可能に支持されていると共に、前記開口部側で前記受け部に並設されている仮受け部（８ｄ）に係脱される補助ラッチ４５と、前記ケース側に枢支した状態で一端側を前記第２ホルダー４に連結し、他端側を前記ホルダー２に連結しているシーソレバー２８とからなる押し込み防止手段を有し、前記扉９Ｂが開から閉方向へ押される過程で、前記第２ホルダー４が前記ホルダー２及びシーソレバー２８を介して上昇され、前記補助ラッチ４５が付勢力により突出し前記仮受け部（８ｄ）と一時的に係合して前記扉を閉扉状態に保った後、前記ラッチ３が前記受け部８ｄに対し前記補助ラッチ４５の係合解除前に係合してその閉扉状態に保持する構成である（請求項２）。なお、前記仮受け部と前記受け部とは、本体側開口部の対応部に独立して設ける構成以外に、形態例のごとく本体側開口部に設けられて扉を回動したり移動するためのガイドレールの凹溝やガイド用凹溝を利用する構成でもよい。また、ラッチと補助ラッチとは、通常、扉開閉方向の形状として逆形状に形成される。好ましくは、形態例のごとくラッチは前側（扉開方向にある側）が係止用の略垂直面で後側（扉閉方向にある側）が解除用傾斜面である。逆に、補助ラッチは前側が解除用傾斜面で後側が係止用の略垂直面である。
【０００８】
（２）前記カム機構は、前記規制板３に設けられたカム溝３９及び前記ケース１に設けられて前記カム溝をトレースするピンＰからなり、前記扉９Ｂが閉扉状態から更に閉方向へ押され、押し力が解放されて開方向へ動いたときに、前記規制板３５の摺動を規制した状態で前記ラッチ２を付勢力に抗して転倒可能にする構成である（請求項３）。
（３）前記押し込み防止手段は、前記第２ホルダー４が前記シーソレバー２８を介して上昇された後、制動されながら下降されるようにするダンパー手段５３を有している構成である（請求項４）。
【０００９】
（４）前記扉９Ｂに固定されて前記ケース１を転倒可能に枢支する取付ベース６と、前記ケース１を前記取付ベース６の正規位置に付勢している付勢手段Ｓ６とを有し、前記ラッチ３が前記受け部８ｄと係合した状態で、前記ケース１が所定大の振動を受けると転倒して前記係合を解除可能となる構成である（請求項５）。
（５）これに対し、請求項６は以上の各ロック装置を用いた扉を特定したものである。この場合、より好適な扉構造としては、各形態に示したごとく扉がガイドレールに沿って折り畳み展開しつつ移動可能な中折れ式扉である。
【発明の効果】
【００１０】
請求項１の発明では、閉扉状態で本体の開口部側に設けられた係止用受け部に係脱、つまり係合したり係合解除するラッチを有した高強度のロック装置構造を採用しながら、カム機構を含む簡単な構造により、扉に対する押し操作により扉を開から閉扉状態に切り換えたり、次の押し操作により係合解除して開扉状態に切り換えるため、操作性を良好にでき、しかも従来の取っ手を不要にして外観性も向上できる。
【００１１】
請求項２の発明では、押し込み防止手段により補助ラッチがラッチに先行して仮受け部に係合した状態で、ラッチが受け部に係合（つまり本止め）するため、扉を閉じる際の押し操作時の急激な押圧動作によってもラッチによる本止めが確実に行われるようになり、それによって誤作動を未然に防止できる。
【００１２】
請求項３の発明では、カム機構が規制板側のカム溝及びケース側のピンからなり、閉扉状態から扉を開に切り換える操作に連動して規制板の摺動を規制制御してラッチを付勢力に抗して転倒可能にするため受け部に対するラッチの係脱構造を簡易化できる。
【００１３】
請求項４の発明では、ダンパー手段が第２ホルダーの下降、つまり仮受け部に対する補助ラッチの係合状態から係合解除されるまでの時間を遅らせ、その遅延時間に比例して受け部に対するラッチの係合をより確実に行えるようにする。
【００１４】
請求項５の発明では、例えば、子供が扉で開閉される本体側開口部の内側（収納室等）に閉じこめられた場合等の非常時において、扉の背面から扉を叩く等して所定大の振動を加えるだけで、ロック装置が付勢力に抗して強制的に転倒しながら係合解除するため、異常事態（人が扉の背面側空間に閉じ込められたとき等）に無理開き可能にして信頼性及び安全性を向上できるようにする。
【００１５】
請求項６の発明では、扉として、請求項１〜５の作用効果を具備できる。扉が形態に示したごとく扉の他端の移動を案内するガイド用凹溝、或いはガイドレールがある場合はそのガイドレールの凹溝に沿って折り畳み展開しつつ移動可能な中折れ式扉であれば、係止用受け部として前記凹溝を利用できる。
【図面の簡単な説明】
【００１６】
【図１】図１は本発明を適用したロック装置を備えた中折れ式の扉を示し、（ａ）は扉の意匠面側から見た概略斜視図、（ｂ）は背面側から見た概略斜視図である。
【図２】図２は上記蝶番の一部を破断して示す概略斜視図である。
【図３】図３は上記ロック装置の全体構成を示す概略分解斜視図である。
【図４】図４は上記ロック装置の主要部を拡大して示す分解斜視図である。
【図５】図５は上記ロック装置の扉側への取付構造及び蝶番との関係を示す説明図である。
【図６】図６（ａ）〜（ｃ）は扉を開から閉方向へ押している状態におけるロック装置の要部、押し込み防止手段、それら両者の関係を示す模式作動図である。
【図７】図７（ａ）〜（ｃ）は扉が押し込み防止手段で一時的に閉扉状態にされた状態でのロック装置の要部、押し込み防止手段、それら両者の関係を示す模式作動図である。
【図８】図８（ａ）〜（ｃ）は扉がロック装置のラッチで閉扉状態にされたときのロック装置の要部、押し込み防止手段、それら両者の関係を示す模式作動図である。
【図９】図９（ａ）〜（ｃ）は扉が閉扉状態から開扉状態に切り換えられるときのロック装置の要部、押し込み防止手段、それら両者の関係を示す模式作動図である。
【図１０】図１０（ａ）〜（ｃ）は閉扉状態で子供等が閉じ込められた非常時における係合解除（無理抜き構造）の動作を示す部分断面図である。
【発明を実施するための形態】
【００１７】
以下、本発明を適用した形態例を図１〜図１０を参照して説明する。この説明では、本体側開口部と扉の構成、蝶番の構成、ロック装置の構成、カム機構と関連部材の作動、ロック装置の主作動、無理抜き構造の順に詳述する。
【００１８】
（本体側開口部と扉の構成）形態例のロック装置５は、図１に例示したごとく本体側開口部に対し一端側を支点として回動されることで本体側開口部を塞ぐ閉扉状態と開放する開扉状態とに切り換えられる扉９Ｂ又は扉９Ａに用いられる。図１はその一例として、本体８の開口部が左右の縦材８ａ及び上下の横材８ｂで区画形成されている。この開口部は、例えば、居室や廊下などの共有空間と、ウオークインクローゼットや物入れ等の閉空間とを、中折れ式扉９Ａ，９Ｂを介して開閉ないしは連通する箇所である。上側の横材８ｂ或いは上下の横材８ｂの内面には、ガイド用凹溝８ｄが長手方向に沿って形成されている。この凹溝８ｄは、本発明の受け部として、更に後述する仮受け部として利用される。そこで、以下の説明において、凹溝８ｄは受け部８ｄと表記したり、仮受け部（８ｄ）と表記する。勿論、受け部８ｄや仮受け部（８ｄ）は、本体側開口部に凹溝８ｄが無い場合は、受け部８ｄや仮受け部（８ｄ）を横材８ｂに窪みや凹状として設けることになる。
【００１９】
扉９Ａ,９Ｂは、前面（意匠面）側、すなわち前記した共有空間に配される側は、図１（ａ）に示されるごとく平坦面に形成され、取っ手或いは手掛け用凹所等を一切なくした意匠形状に造形されている。これに対し、扉９Ａ,９Ｂの背面、すなわち前記した閉空間側における扉同士の対向端は、図１（ｂ）に示されるごとく複数（この例では２つ）の蝶番７によって折曲可能に連結されている。扉９Ａは、一端側が縦材８ａに接近配置されて、ガイド用凹溝８ｄの対応端側に対し不図示の枢軸等を介して回動可能に枢支されているが、凹溝８ｄに沿って不図示の枢軸等を介して移動可能かつ回動可能に枢支するようにしてもよい。これに対し、扉９Ｂは、一端側がガイド用凹溝８ｄに沿って不図示の枢軸（この枢軸はピン構成、ローラー構成の場合もある）を介して移動可能かつ回動可能に枢支されている。また、扉９Ｂには、上側の蝶番６の近傍で、扉の背面上縁には図５に示されるごとく凹所９ａが設けられていると共に、ロック装置５がその凹所９ａに配設されている。
【００２０】
（蝶番の構成）図１（ｂ）、図２において、蝶番７は、扉９Ａと扉９Ｂとにまたがって複数のねじＢにより扉対応部に固定されると共に、各扉を常時扉開状態、つまり外側に向けて折曲するよう付勢する付勢ばね５９を有している。詳述すると、蝶番７は、図２に例示されるごとく対応する扉に取り付けられる左右の蝶番片５７，５７と、各蝶番片５７，５７を上下の連結部５７ａを介して回動自在に支持している枢軸５８と、枢軸５８の外周に配置されるコイル形の付勢ばね５９と、枢軸５８に対し付勢ばね５９を覆うようにして回動自在に枢支され、かつ付勢ばね５９の対応端５９ａ又は５９ｂを掛け止めした状態で対応する蝶番片５７に重ねられるカバー兼用のばね受け片７ａ，７ｂとからなる。そして、各蝶番片５７には、付勢ばね５９及びばね受け片７ａ，７ｂを介して、矢印で示す折り曲げる付勢力が常時加わっている。このため、この蝶番７では、ロック装置５の係合解除、つまり非ロック状態において、図１（ａ）に示されるごとく扉９Ａ，９Ｂ同士を略ヘの字形（付勢力が強いと略Ｖの字形）となる方向へ折り曲げて扉開状態に切り換える。このような蝶番は市販品を使用してもよい。
【００２１】
（ロック装置の構成）このロック装置５は、扉９Ｂの凹所９ａに対し直接或いは取付ベース６を介して配設されるケース１と、ケース側空間１０に上下摺動可能に支持されるホルダー２と、ホルダー２の上側にばね部材Ｓ3の付勢力に抗して転倒可能に枢支されているラッチ３と、ホルダー２に摺動可能かつラッチ３に接離可能に配設されている規制板３５と、規制板３５及びホルダー２を介してラッチ３を受け部８ｄと係合する方向へ付勢しているばね部材Ｓ１又は／及びＳ２と、規制板３５の摺動を制御して、扉９Ｂを付勢力に抗して開から閉方向へ押し操作すことによりラッチ３を規制板３５にて転倒規制した状態で受け部８ｄに係合可能にし、扉９Ｂを再度閉方向へ押し操作すことにより規制板３５をラッチ３から離間して該ラッチの係合を解除可能にする動作履歴に設定されたカム機構（３９，Ｐ）とを備えている。そして、ロック装置５は、扉９Ｂが付勢ばね４９の付勢力に抗して開から閉方向へ押されると共にラッチ３がカム機構（３９，Ｐ）を介して受け部８ｄに係合されて閉扉状態に保持され、閉扉状態から更に閉方向へ押されることで係合解除されると共にラッチ３の係合解除状態をカム機構（３９，Ｐ）を介して維持し開方向へ切り換えられるようにする。なお、以上のロック装置５は、扉側への取付構造として、扉側凹所９ａにねじＢで固定される樹脂製の取付ベース６と、ばね部材Ｓ６とを備えており、後述するごとく閉扉状態で扉を背面側より簡単に開に切換可能となっている（これが無理抜き構造である）。
【００２２】
また、以上のロック装置５は、扉９Ｂを閉じる際の押し操作時の急激な押圧動作によってもラッチ３が受け部８ｄに確実に係合するようにする押し込み防止手段を有している。すなわち、この押し込み防止手段は、ケース側空間１１に対しホルダー２と同方向に摺動可能に支持されている第２ホルダー４と、第２ホルダー４にばね部材Ｓ４を介して出没可能に支持されていると共に、本体８の開口部側で受け部８ｄの近くに設けられている仮受け部（８ｄ）に係脱される補助ラッチ４５と、ケース側下側空間１２，１３に枢支した状態で一端２８ａ側を第２ホルダー４に作動連結し、他端２８ｂ側をホルダー２に作動連結しているシーソレバー２８とからなる。そして、押し込み防止手段は、扉９Ｂが開から閉方向へ押される過程で、ホルダー２及びシーソレバー２８を介して上昇され、補助ラッチ４５がばね部材Ｓ４の付勢力により突出して仮受け部（８ｄ）と一時的に係合（一旦係合した後、自動で係合解除されること）して扉９Ｂを閉扉状態に保った後、ラッチ３が受け部８ｄに対し補助ラッチ４５の係合解除前に係合してその閉扉状態に保持する。
【００２３】
次に細部構成を明らかにする。まず、ケース１は、概略上開口した容器状をなし、ホルダー２を配置する空間１０と、第２ホルダー４を配置する空間１１と、シーソレバー２８を配置する各空間１０，１１の下側を形成している下側空間１２，１３とからなる。空間１０と空間１１とは、上側が隔壁１４で区画されていると共に、下側つまり空間１２と空間１３とが連通されている。空間１２には、図示を省略したが、図６（ａ）から推察されるごとくホルダー用のばね部材Ｓ１及び規制板用のばね部材Ｓ２を支持するばね支持部が内側の左右略中間位置にあって前後に設けられている。符号１０ａは空間１０の内面に設けられてホルダー２の摺動を案内する複数のガイド溝、符号１１ａ及び１１ｂは空間１１の内面に設けられて第２ホルダー４の摺動を案内する複数のガイド溝である。符号１３ａは後述するばね部材Ｓ５の下端側を掛け止める箇所、符号１７はホルダー２の上昇位置を規制する嵌合溝、符号１８はダンパー手段５３を取り付ける取付孔である。符号１５はケース１の両側壁の上外側に設けられた嵌合部である。符号１６はケース１の両側壁の下側に対し同軸線上に貫通された軸孔である。
【００２４】
ホルダー２は、空間１０に対応した縦長のブロック状をなし、本体２０が上側に略コ形状に一体化されたラッチ用配置部２１と、配置部２１の前下側を切り欠いて規制板３５の上端側をその配置部内に出没可能にしている連通部２２と、本体２０の後面に突設されている縦リブ２５及び左上側に突設されている抜け止め用爪２７と、本体２０の下面に突設されてばね部材Ｓ１の上側を支持する逆凹状の支持部２６とを有している。また、本体２０の前面２４には、不図示の規制板用の配置部が形成されている。符号２１ａは配置部２１の対向側面を貫通している軸孔、符号２３ａは本体２０の前側上下に設けられたガイド溝、符号２３ｂは本体２０及び配置部２１の両側に突設されている縦リブである。
【００２５】
ラッチ３は、前側（扉開方向に配置される側）が係止用の略垂直面３０、後側（扉閉方向に配置される側）が上側を解除用の傾斜面３１に形成している。また、ラッチ３は、下側で左右を貫通している軸孔３２と、後側で傾斜面３１の下片側に設けられて軸孔３２に連通しているばね配置用の小空間３３と、下端側に設けられて前記した連通部２２に配置される下当接部３３ａとを有している。そして、このラッチ３は、小空間３３にばね部材Ｓ３を配置した状態で、配置部２１に対し位置決め配置された後、シャフト３４が一方軸孔２１ａ、軸孔３２、他方軸孔２１ａに挿通されて抜け止めされることにより、ばね部材Ｓ３の付勢力で起立方向に付勢され、かつばね部材Ｓ３の付勢力に抗して転倒可能に枢支される。
【００２６】
規制板３５は、下側に設けられてばね部材Ｓ２の上側を支持する逆凹状の支持部３６と、上側に設けられてホルダー側連通部２２に出没される突当部３７と、後面に設けられてホルダー側ガイド溝２３ａに嵌合される縦リブ３８と，前面に設けられてカム機構を構成している旋回タイプのカム溝３９（図６〜図９の各（ａ）を参照）とを形成している。そして、この規制板３５は、ホルダー本体側前面２４の配置部に対し、縦リブ３８をガイド溝２３ａに嵌合した状態でガイド溝２３ａに沿って上下に摺動可能、かつラッチ３の下当接部３３ａに接離可能に支持される。なお、カム溝３９の細部は後述する。
【００２７】
そして、上記したホルダー２は、ラッチ３及び規制板３５を支持した状態から、ケース側空間１０に対し、各縦リブ２３ｂ及び２５を対応するガイド溝１０ａに沿って嵌合しながら移動しかつ爪２７を嵌合溝１７に嵌合すると、嵌合溝１７の範囲で上下方向に摺動可能に組み込まれる。その際、ばね部材Ｓ１及びばね部材Ｓ２は、下端側が上記した空間１２に設けられた対応するばね支持部に位置規制した状態から、その上端側がホルダー側の支持部２６や規制板側の支持部３６内に入れて係止される。この組立状態において、図６のごとく、ホルダー２及びラッチ３はばね部材Ｓ１の付勢力で上昇位置に摺動されている。ラッチ３はばね部材Ｓ３の付勢力で起立方向に付勢され、かつ、ばね部材Ｓ２の付勢力で上昇されている規制板３５の突当部３７で下当接部３３ａを押し、それにより転倒不能となっている。
【００２８】
ケース１には、以上の組立状態からトレース用ピン５１が取り付けられる。ピン５１は、金属製線材を略コ形状に屈曲形成したものであり、下端５２ａがケース側の対応部に枢支され、上端５２ｂがケース側対応部に設けられた不図示の小開口からケース内に突出され、その状態でピン中間部が板ばね５２で付勢保持される。この板ばね５２は、下部５２ａがケース側対応部に設けられた係合凹部に圧着された状態で、上部５２ｂでピン対応部を付勢し、ピン５１が該付勢力に抗して下端５２ａを支点として揺動されるようにする。
【００２９】
これに対し、押し込み防止手段は次のような構成である。まず、第２ホルダー４は、空間１１に対応した上開口した容器状をなし、内部４０にあって後側内面及び両側内面に設けられた縦リブ４０ａ，４０ｂと、両側外面に設けられた縦リブ４１と、片側面の下側に突設されたばね用掛け止め部４１ａと、後壁側に設けられた比較的大きな矩形窓４２と、矩形窓４２の片側の側縁に沿って設けられている歯部ないしはラック４３と、後外面に設けられた縦リブ４２ａと、前壁に設けられて補助ラッチ４５の上昇位置を規制する嵌合溝４４と、内底面に突設されている不図示のばね用支持部とを有している。
【００３０】
補助ラッチ４５は、ラッチ３と前後逆の形状をなし、後側が略垂直面４６で、前側の上側を解除用傾斜面４７に形成しており、前側の垂直面となった下側４７ａに設けられて嵌合溝４４に嵌合される不図示の抜け止め用爪と、垂直面４６に設けられた上下方向に延びるガイド溝４８ａと、両側に対向して設けられたガイド溝４８ｂとを有している。そして、以上の補助ラッチ４５は、第２ホルダー４に対し、ガイド溝４８ａを縦リブ４０ａに嵌合し、両側のガイド溝４８ｂを対応する縦リブ４０ｂに嵌合しながら移動しかつ上記の前側の爪２７を嵌合溝４４に嵌合すると、嵌合溝４４の範囲で上下方向に摺動可能に組み込まれる。その際は、ばね部材Ｓ４が内部４０の内底側のばね支持部で支持した状態から、その上側を補助ラッチ４５の底面側の対応部に係止することになる。組立状態において、押し込み防止手段は、図６のごとく、補助ラッチ４５はばね部材Ｓ４の付勢力で上昇位置に摺動されている。
【００３１】
そして、以上の第２ホルダー４は、ケース側空間１１に対し両側の縦リブ４１及び後側の縦リブ４２ａを対応するガイド溝１１ａなどに嵌合し、掛け止め部４１ａをガイド溝１１ｂに嵌合すると、上下方向に摺動可能に組み込まれる。その際は、ばね部材Ｓ５が一端側を掛け止め部４１ａに係止し、他端側をケース側の係止箇所１３ａに設けられた掛け止め部に係止される。このばね部材Ｓ５は第２ホルダー４を軽度の付勢力により下降側に付勢している。但し、第２ホルダー４が重い場合は省略してもよい。また、ケース側取付孔１８にはダンパー手段５３が装着される。このダンパー手段５３は、周知のロータリー式オイルダンパー等からなり、本体５４及び作動油の抵抗を受けている出力軸に装着された回転ギア５５を有している。そして、本体５４は、取付孔１８に配置されてねじなどにより固定される。すると、回転ギア５５は、第２ホルダー側のラック４３の歯と噛み合う。
【００３２】
また、シーソレバー２８は、下空間１２，１３内に配置されて、その枢支部２９がケース前側から後方向に配置される支軸５０を介してケース内下部に揺動可能に支持される。すなわち、シーソレバー２８は、支軸５０を基準とし、枢支部２９と一端２８ａの間の長さが、枢支部２９と他端２８ｂの間の長さに比べて長く設定されている。そして、シーソレバー２８は、図６（ｃ）に示されるごとく、一端２８ａ側が補助ホルダ４の下面に対し当接した状態で作動連結し、他端２８ｂがホルダー２の下縁側面に対し摺接した状態で作動連結している。この作動は、例えば、図６（ａ）の右側や図８のごとくラッチ３が上位置にあるときは補助ラッチ４５を第２ホルダ４と共に下降し、図７や図９のごとくラッチ３が下降すると補助ラッチ４５を第２ホルダ４と共に上昇させる。
【００３３】
（カム機構と関連部材の作動）次に、以上のカム溝３９の旋回溝形状、及び該カム溝３９をトレースするピン５１の軌跡とケース１内の各部材の動作との関係を説明する。図６（ａ）の右側に示した拡大図において、カム溝３９は、凸でハート形の島３９ｆの周囲に形成されており、下側から右上側へ延びている住路溝３９ａと、上側に位置して左右に別れている係止用誘導溝３９ｂ及び解除用誘導溝３９ｄと、誘導溝３９ｂ，３９ｄの間で少し下側に位置した凹状係止溝３９ｃと、誘導溝３９ｄから下側へ延びる復帰溝３９ｅなどで構成されている。
【００３４】
そして、ピン５１（の他端５１ｂ）は、ラッチ３（及びホルダー２）がばね部材Ｓ１又は／及びＳ２の付勢力により上昇位置にあるときは係止溝３９ｃに係合されており、ラッチ３（及びホルダー２）がばね部材Ｓ１又は／及びＳ２の付勢力に抗して上昇位置から下降されると、係止溝３９ｃから誘導溝３９ｄに移動する。また、ピン５１は、ラッチ３（及びホルダー２）が図８のごとくばね部材Ｓ１又は／及びＳ２の付勢力で上昇して受け部８ｄに係合されると、誘導溝３９ｄから復帰溝３９ｅの下端ないしは住路溝３９ａの下端に移動する。更に、ピン５１は、ラッチ３（及びホルダー２）が図９の丸数字３のごとくばね部材Ｓ３の付勢力に抗して転倒されると、住路溝３９ａから誘導溝３９ｂに移動し、その状態からラッチ３（及びホルダー２）が図６（ａ）の右側のごとく本体側開口部を区画している横材８ｂ側に対する負荷を受けなくなると、ばね部材Ｓ１又は／及びＳ２の付勢力により上昇され、誘導溝３９ｂから再び係止溝３９ｃに移動することになる。
【００３５】
（ロック装置の主作動）次に、以上のロック装置５を用いたときの開扉状態（扉の開）から、閉扉状態に切り換えたり、閉扉状態から再び扉開状態に切り換えるときの作動について図６〜図９を参考にして明らかにする。これらの図中、矢印は移動方向又は力の加わる方向を示している。
【００３６】
（１）まず、開扉状態では、図１から推察されるごとく蝶番側の付勢ばね４９の付勢力により、扉９Ａ，９Ｂ同士の対向端部は手前方向へ向けてへの字形（付勢力がより強いと更にＶの字形）に回動されている。なお、この状態で、扉９Ｂを手で矢印方向へ押圧することにより、扉９Ａ，９Ｂ同士が折り畳まれ、本体８側の開口部の幅を大きく開口することができる。この開扉状態において、ラッチ３及びホルダー２は図６（ａ）の右側のラッチ３のごとくばね部材Ｓ１又は／及びＳ２の付勢力により上方へ摺動されて上昇位置にあり、規制板３５は、ピン５１（の他端５１ｂ）が係止溝３９ｃに係合されているためばね部材Ｓ２の付勢力に抗して下降位置に維持され、ラッチ３と離間している。シーソレバー２８は、以上のラッチ３及びホルダー２の上昇位置において、他端２８ｂがホルダー２の下縁側面に軽く押された状態で最上段となり、一端２８ａ側が他端２８ｂと略水平に配置、つまり最下段で第２ホルダー４を下から受け止めて支持している。
【００３７】
（２）扉９Ａ，９Ｂを開から閉扉状態にする場合は、図６（ａ）のごとく手や指で扉９Ｂ又は扉９Ａを蝶番７の付勢ばね４９の付勢力に抗して矢印で示す閉方向へ押す。この押圧過程において、ラッチ３及びホルダー２は、ラッチ側傾斜面３１が本体側横材８ｂに当たり下向きの応力を受けて下降しつつ、横材８ｂの内面に移行される。このとき、そのラッチ３及びホルダー２の下降により、ピン５１（の他端５１ｂ）は係止溝３９ｃから誘導溝３９ｄに移動する。すると、規制板３５は、ピン５１による規制が解かれてばね部材Ｓ２の付勢力によって最上段まで摺動され、上側の突当部３７を連通部２２からラッチ３の下当接部３３ａに当接してラッチ３を転倒不能とする。シーソレバー２８は、図６（ｃ）の右側のごとく他端２８ｂが下降され、逆に一端２８ａ側が枢支部２９を支点とし時計回りに回動され、それにより第２ホルダー４を上昇する。すると、上記した押し込み防止手段は、第２ホルダー４が上昇されると、補助ラッチ４５がばね部材Ｓ４を弾性縮小つまり付勢力を蓄えながら第２ホルダー４内に没入される。
【００３８】
図７は扉９Ａ，９Ｂが閉扉状態の直前まで押された段階、又は補助ラッチ４５が仮受け部（８ｄ）に入って一時的に係合したときの状態を示している。上記した押し込み防止手段は、ラッチ３が受け部８ｄに本止めされる前段階で、補助ラッチ４５が仮受け部（８ｄ）に係合されることで閉方向への押圧力をその係合で受け止め、それにより扉９Ａ，９Ｂが閉じる際の押し操作時の急激な押圧動作によっても、オーバーストローク（扉９Ｂ又は扉９Ａが横材８ｂ側の凹溝８ｄつまり受け部８ｄを通り過ぎること）する虞を確実に防ぐ。
【００３９】
図８は扉９Ａ，９Ｂが図７から正規の閉扉状態に切り換えられて、ラッチ３が受け部８ｄに突出係合した本止め状態を示している。すなわち、以上のロック装置５は、ラッチ３が受け部８ｄに対向すると、ラッチ３がホルダー２と共にばね部材Ｓ１又は／及びＳ２の付勢力により上昇されて受け部８ｄに突出係合する。このとき、ラッチ３及びホルダー２が上昇すると、ピン５１（の他端５１ｂ）は誘導溝３９ｄから復帰溝３９ｅを移動して住路溝３９の入口に移動される。また、シーソレバー２８は、ラッチ３及びホルダー２の上昇に伴って他端２８ｂが上昇され、逆に一端２８ａが枢支部２９を支点とし逆時計回りに回動されて第２ホルダー４を下降する。シーソレバー２８は、図６（ｃ）の左側と同様に一端２８ａ側が他端２８ｂと略水平に配置した状態つまり最下段で第２ホルダー４を下から受け止めて支持している。この場合、第２ホルダー４は、ケース側に装着されたダンパー手段５３の回転ギア５５が第２ホルダー側のラック５３の歯と噛み合っているため自重、及びばね部材Ｓ５の付勢力に抗して緩和され速度で下降する。
【００４０】
（３）扉９Ｂ，９Ａを再び開扉状態にする場合は、図９（ａ）のごとく手や指で扉９Ｂ又は扉９Ａを蝶番側付勢ばね４９の付勢力に抗して、閉方向へオーバストロークするまで押す。この押圧過程において、図９（ａ）の丸数字１はその閉方向への押したときの状態を示し、丸数字２はその押し力を解放したときの状態を示し、丸数字３はラッチ３が付勢力に抗して転倒したときの状態を示している。
【００４１】
このうち、丸数字１において、ラッチ３及びホルダー２はラッチ側傾斜面３１が受け部８ｄを区画している逆凹状の縁部に当たって下向きの応力を受けて下降しつつ、横材８ｂの内面に移行される。このとき、そのラッチ３及びホルダー２の下降により、ピン５１（の他端５１ｂ）は住路溝３９ａから誘導溝３９ｂに移動する。また、シーソレバー２８は、ラッチ３及びホルダー２の下降に伴って他端２８ｂも下降され、逆に一端２８ａ側が枢支部２９を支点とし時計回りに回動されて第２ホルダー４を上昇させる。すると、補助ラッチ４５はばね部材Ｓ４を弾性縮小つまり付勢力を蓄えながら第２ホルダー４内に没入される。
【００４２】
丸数字２において、扉９Ｂ，９Ａは押し力が解放されると、付勢ばね４９の付勢力で開方向へ回動ないしは移動される。そして、ラッチ３は、逆凹状の受け部８ｄと対向すると、丸数字３のごとくばね部材Ｓ１又は／及びＳ２の付勢力により再び上昇されると共に、受け部８ｄの凹状縁部から受ける反力によりシャフト３４を支点としてばね部材Ｓ３の付勢力に抗して転倒される。換言すると、ラッチ３は受け部８ｄ内に入ると、ホルダー２と共に少し上昇される。このとき、ピン５１（の他端５１ｂ）は誘導溝３９ｂから係止溝３９ｃに係合して、規制板３５がホルダー２と共に上昇されないよう規制する。そのため、規制板３５は、上側の突当部３７が連通部２２に没した状態となって、ラッチ３の下当接部３３ａから離間され、その結果、ラッチ３を転倒可能（つまりラッチ３の転倒を許容）にする。そして、ラッチ３は、扉９Ｂ，９Ａが開方向へ回動ないしは移動されて、本体側横材８ｂの内面から離れると、図６（ａ）の右側のごとくばね部材Ｓ３の付勢力で正規の垂直状態となる。以後は、扉９Ｂ，９Ａの閉方向への押圧動作毎に扉９Ｂ，９Ａの係合保持、係合解除が繰り返されることになる。
【００４３】
（無理抜き構造）以上のロック装置５は、幼児や子供等が扉９Ｂ，９Ａの背面側閉空間（収納室等）に閉じ込められた場合の対策として簡単に係合解除可能となっている。次に、その無理抜き構造を図３と図５及び図１０により詳述する。
【００４４】
上記した取付ベース６は、プレス品ないしは樹脂成形品からなり、概略扉側凹所９ａに対応した形状となっていて、両側に設けられてねじＢを通す孔６ｅを形成しているフランジ部６ａと、両フランジ部６ａの間にあって下側に設けられた下壁６ｂと、両側壁の下奥側に同軸線上に貫通されている軸孔６ｃと、両側壁の上部側にそれぞれ内側に向けて突設されている弾性係止爪６ｄとを有している。
【００４５】
そして、以上のロック装置５は、両側の軸孔１６と各軸孔６ｃとが一致するようにして取付ベース６に配置され、ヒンジピン５６が一方軸孔６ｃ、一方軸孔１６、他方軸孔１６、他方軸孔６ｃに挿通されると共にヒンジピン先端の周回溝５６ａに止め輪Ｅを掛止めて抜け止めされることで、取付ベース６の内側に転倒可能に枢支される。その際には、ヒンジピン５０の外周に巻きばね等のばね部材Ｓ６が支持され、ばね部材Ｓ６の一端がケース側の対応壁部に係止され、他端が付勢力を発現しながら傾斜壁６ｂに係止される。このため、ロック装置５は、取付ベース６に対しヒンジピン５６を介して枢支された状態で、図１０（ａ）に示されるごとくばね部材Ｓ６の付勢力及び取付ベース側弾性係止爪６ｄとケース側嵌合部１５との弾性係合により起立した正規位置に保持される。すなわち、図１０（ａ）はロック装置５が正規位置で、かつ、扉９Ｂ，９Ａがラッチ３が受け部８ｄに係合されて閉扉状態に保持されている。右側が扉９Ｂの意匠面、左側が扉９Ｂの背面側で物入れ等の閉空間になっているものとする。
【００４６】
そして、図８（ａ）の状態において、例えば、子供が前記閉空間に閉じ込められた場合、扉９Ｂ，９Ａの意匠面及び背面ともに取っ手や手掛け用凹所がないため、その子供はロック装置５の係合を解除したくとも扉９Ｂ，９Ａを自力で閉空間側へ引っ張ることができず危機的な状態となる。しかし、この構造では、子供が前記閉空間側から扉９Ｂ又は扉９Ａを押したり叩くだけでロック装置５が自動的に係合解除し、かつ扉９Ｂ，９Ａが自動的に開扉状態に切り換えられる。
【００４７】
換言すると、この構造では、振動や加重が扉９Ｂ，９Ａに加わると、ロック装置５がヒンジピン５６を支点として、ばね部材Ｓ６の付勢力及び係止爪６ｄと嵌合部１５との弾性係合に抗して図８（ｂ）のごとく転倒され、この転倒によりラッチ３が受け部８ｄから外れて係合解除される。また、ロック装置５は、係合解除した後、図８（ｃ）のごとく扉９Ｂ，９Ａが付勢ばね４９の付勢力により開方向へ切り換えられると同時にばね部材Ｓ６の付勢力により矢印方向へ回動されて元の正規位置に復帰されることになる。
【００４８】
なお、以上の形態例では扉として中折れ式扉を挙げたが、本発明のロック装置は開方向へ付勢される回動タイプ（一端を支点として回動される構成、一端の枢軸や枢支部を移動しながら回動される構成を含む）の扉であれば、一枚物、逆に３枚以上連結した折り戸式扉にも適用可能である。また、本発明のロック装置は扉に対し上側ではなく下側に配設してもよい。
【符号の説明】
【００４９】
１…ケース（１０はホルダー用空間、１１は第２ホルダー用空間）
２…ホルダー（２１はラッチ用配置部、２２は連通部）
３…ラッチ（３０は係止用の略垂直面、３１は解除用の傾斜面、３２は軸孔）
４…第２ホルダー（押し込み防止手段、４０は内部）
５…ロック装置
６…取付ベース
７…蝶番（４９は付勢ばね）
８…框（８ａは縦材、８ｂは横材、８ｄは受け部又は凹溝、（８ｄ）は仮受け部）
９Ａ，９Ｂ…中折れ式扉（９ａは凹所）
１７…カム溝（カム機構）
２８…シーソレバー（２９は軸孔）  
４５…補助ラッチ（押し込み防止手段、４６は略垂直面、４７は傾斜面）  
５１…トレース用ピン（カム機構、５２板ばね）
Ｓ1〜Ｓ６…ばね部材（付勢手段）
【図１】
2010174588.tif 000003
【図２】
2010174588.tif 000004
【図３】
2010174588.tif 000005
【図４】
2010174588.tif 000006
【図５】
2010174588.tif 000007
【図６】
2010174588.tif 000008
【図７】
2010174588.tif 000009
【図８】
2010174588.tif 000010
【図９】
2010174588.tif 000011
【図１０】
2010174588.tif 000012